(57)【要約】【課題】電気や燃料等によるエネルギーを連続的に用いることなく、反復して使用することが可能であり、例えば人の肩、膝等に使用した場合でも安全に使用できる保温具を提供する。【解決手段】保温具１は、包材２とその包材２に内包された蓄熱材３から構成されている。包材２の材料には布が用いられ、蓄熱材３の材料には蓄熱性を有する小豆が用いられている。蓄熱材３はマイクロ波を照射することにより発熱しその熱を蓄熱することができるため、保温具１を反復して使用することができる。保温具１を例えば人の肩、膝等に使用した場合でも、布と小豆は通気性がよく、さらに各小豆が布を介して人の肌に点接触するため、人の肌が蒸れることがなく低温火傷の危険性が少ない。したがって、安全に使用することができる。【選択図】図１
2007319491.tif 000002
【特許請求の範囲】
【請求項１】
蓄熱作用を有する蓄熱材と当該蓄熱材を内包する包材を有し、反復使用可能な保温具であって、
前記蓄熱材として小豆を使用し、前記包材として布を使用したことを特徴とする、保温具。
【請求項２】
前記包材内において、前記蓄熱材を複数に分離する複数の仕切り部を有することを特徴とする、請求項１に記載の保温具。
【請求項３】
前記包材は複数に分割自在であり、かつ当該分割された包材は合体自在であることを特徴とする、請求項１又は２に記載の保温具。
【発明の詳細な説明】
【技術分野】
【０００１】
本発明は、電気や燃料等によるエネルギーを連続的に用いることなく、反復して使用することが可能な保温具に関する。
【背景技術】
【０００２】
電気や燃料等によるエネルギーを連続的に用いることなく人の肩、膝等を温めることが可能な保温具として、例えばカイロが挙げられる。カイロとして、最近では鉄粉の反応を利用した使い捨て化学カイロが用いられているが、再利用することができないという問題がある。
【０００３】
そこで従来から、反復使用可能な保温具として、例えばプラスチックや樹脂フィルム製の袋状容器内部にゲル状の蓄熱物質を封入して構成される保温具が提案されている（特許文献１）。この保温具は、例えば電子レンジによりゲル状の蓄熱物質が加熱され、特定の場所を温めることができる。ゲル状の蓄熱物質が放熱し終わって常温に戻った場合でも、再度電子レンジにより蓄熱物質を加熱することができ、保温具を反復使用することができる。
【０００４】
【特許文献１】特開２００２−１１３０３２号公報
【発明の開示】
【発明が解決しようとする課題】
【０００５】
しかしながら、この従来の保温具を人の肩、膝等に用いた場合、プラスチックの袋状容器とゲル状の蓄熱物質から構成される保温具では、人の肌と密着するため通気性が悪く、長期間同一場所に装着していると、人の肌が蒸れたり、あるいは低温火傷を引き起こすおそれがあった。また、万一袋状容器が破損してゲル状の蓄熱物質が飛散した場合、周囲を汚損するおそれがあった。
【０００６】
本発明は、かかる点に鑑みてなされたものであり、電気や燃料等によるエネルギーを連続的に用いることなく反復して使用することが可能であり、例えば人の肩、膝等に用いた場合でも安全に使用できる保温具を提供することを目的とする。
【課題を解決するための手段】
【０００７】
前記の目的を達成するため、本発明においては、蓄熱作用を有する蓄熱材と当該蓄熱材を内包する包材を有し、反復使用可能な保温具であって、前記蓄熱材として小豆を使用し、前記包材として布を使用することを特徴としている。
【０００８】
発明者が調べたところ、小豆には良好な蓄熱作用があることが判った。したがって小豆を加熱することで、長時間保温効果が得られる。また放熱し終わって常温に戻っても、再度加熱することで再び蓄熱効果が得られるので、反復使用することができる。さらにまた、包材は布でできているので、小豆相互間の隙間と相俟って全体として通気性もよい。また人の肩、膝等に使用した場合であっても、接触面は布を介して多数の小豆が接触している状態、すなわち各小豆とのいわば点接触であるから、人の肌が蒸れることなく低温火傷の危険性も少ない。そして万が一布が破損しても、小豆がこぼれるだけであるから、周囲への破損はないものである。
【０００９】
本発明の保温材を使用する場合、使用する前に包材内部の小豆を加熱することが必要であるが、この場合、マイクロ波の照射が好ましい。例えば保温具全体を家庭用の電子レンジによって加熱すればよく、極めて簡単かつ迅速に、好適な使用温度にまで蓄熱材としての小豆を加熱することができる。目安としては、５００Ｗの電子レンジで２分から２分半程度加熱すればよい。
【００１０】
また包材内に、小豆を区分けするための仕切り部を設けた場合には、保温具全体で小豆をほぼ均等に分散配置させることができ、小豆が偏在することはなく、均一な保温効果が得られる。また使用を繰り返しても、小豆が偏ることはない。
【００１１】
さらに包材は複数に分割自在であり、かつこれらの分割された包材は合体自在であってもよい。例えば保温具が人の肩に使用するに適した大きさであった場合、この保温具を例えば人の膝に使用するにあたっては、膝に適した大きさに分割することができ、膝を効率よく温めることができる。また、再び肩に使用する場合には、分割された保温具を合体させればよい。
【発明の効果】
【００１２】
本発明の保温具によれば、電気や燃料等によるエネルギーを連続的に用いることなく、反復して使用することができる。また、例えば人の肩、膝等に使用した場合でも通気性がよく、さらに保温具内の各小豆が布を介して人の肌に点接触するため、人の肌が蒸れることがなく低温火傷の危険性が少ない。したがって、安全である。そして、本発明の保温具は寒冷時に暖をとるためのカイロとしても使用することができ、さらには、肩凝り、腰痛、関節炎、冷え等に対する温熱用具として使用することもできる。
【発明を実施するための最良の形態】
【００１３】
以下、本発明の好ましい実施の形態について、図１に基づいて説明する。図１は本実施の形態にかかる保温具１の斜視図である。
【００１４】
保温具１は、包材２とその包材２に内包された図２に示す蓄熱材３を有している。包材２の材料には耐熱性を有する布が用いられ、例えば木綿、麻が用いられる。包材２は短辺の長さＡが１５０ｍｍ、長辺の長さＢが７００ｍｍの長方形の２枚の布を重ね合わせて形成されている。包材２の内側には、短辺４ａ、４ａと包材２の長辺４ｂ、４ｂがそれぞれ縫合されて長方形の袋部４が形成されている。袋部４の内部には、図２に示すように、蓄熱材３が封入されている。なお、包材２は１枚の長方形の布を折り返して重ね合わせてもよい。この場合、袋部４を形成する際に包材２の内側の２辺４ａ、４ａと１辺４ｂを縫合すればよい。
【００１５】
包材２の短辺２ａ、２ａには、紐体５、５が対向して包材２に縫合されている。紐体５の材料には包材２と同じ布が用いられ、例えば木綿、麻が用いられる。
【００１６】
蓄熱材３の材料には蓄熱性を有する小豆が用いられる。本実施の形態においては、包材２の袋部４には、例えば７００ｇの小豆が封入されている。
【００１７】
本実施の形態にかかる保温具１は以上のように構成されており、次にその使用例について説明する。
【００１８】
保温具１を加熱するために、例えば家庭用の電子レンジを用いる。保温具１を電子レンジの内部に入れて電子レンジを作動させると、保温具１にマイクロ波が照射される。このマイクロ波によって蓄熱材３の内部の水分あるいは電子レンジ内の大気中の水分子が振動し、その摩擦熱によって蓄熱材３が発熱して保温具１が加熱される。保温具１の加熱後の温度は、電子レンジの出力数あるいは加熱時間によって調節することができる。例えば人の肩、膝等に使用する際には、保温具１を４０℃から８０℃の温度まで加熱するために、例えば５００Ｗの出力で２分から２分半の間加熱すればよい。
【００１９】
このように加熱された保温具１を人の肩に使用する場合について、図３を用いて説明する。保温具１の紐体５、５が身体の前に位置するように、保温具１を両肩にのせる（図３（ａ））。保温具１が肩から落下するのを防止するために、保温具１が環状になるように紐体５、５を結ぶ（図３（ｂ））。この際、保温具１は適度な重量があるため、肩の所定の位置からずれることがない。また、適度な重量であるために、保温具１の使用者も負担を感じることなく使用することができる。このように保温具１を人の肩に使用した場合、肩がじわりと温められて、肩凝りや冷えに効果がある。
【００２０】
肩に使用された保温具１は蓄熱材３の蓄熱作用によって、電気や燃料等によるエネルギーを加えない場合でも、１時間半から２時間半の間、設定温度を持続することができる。そして、蓄熱材３が放熱し終わって常温に戻った場合でも、再度蓄熱材３を加熱して、保温具１を反復使用することができる。
【００２１】
また、保温具１を電子レンジで加熱する際に、耐熱性の容器に入れた水と共に加熱してもよい。この場合、電子レンジを作動させた際に、容器内の水分子が振動してその摩擦熱によって保温具１の加熱を補助することができ、保温具１を効率よく加熱することができる。
【００２２】
以上のように、本実施の形態の保温具１によれば、電気や燃料等によるエネルギーを連続的に用いることなく、反復して使用することができる。例えば人の肩等に使用した場合でも、保温具１は通気性がよく、さらに保温具１内の各蓄熱材３が包材２を介して人の肌に点接触するため、人の肌が蒸れることがなく低温火傷の危険性が少ない。したがって、安全である。さらに、万が一布が破損しても、小豆がこぼれるだけであるから、周囲への破損はない。
また、蓄熱材３として小豆を使用しているので、保温具１を加熱した際に香りがよい。したがって、保温具１を例えば人の肩等に使用した際に、人を癒す効果が期待できる。
なお、包材２の形状は長方形に限らず、例えば円形等であってもよい。
【００２３】
次に他の実施の形態の保温具について、図４および図５に基づいて説明する。図４は他の実施の形態にかかる保温具１０の斜視図であり、図５は保温具１０の平面図である。
【００２４】
保温具１０は、内部に封入された蓄熱材３を区分けするために、袋部４の内側に９本の仕切り部１２が設けられている。仕切り部１２は包材２を構成する２枚の布を縫合して設けられている。各仕切り部１２は、袋部４の短辺４ａに平行であって、かつ長辺４ｂ方向に均一間隔で配置されている。この仕切り部１２によって、袋部４が１０個の小袋部１１に区分けされる。小袋部１１はそれぞれが同じ大きさに形成されており、小袋部１１の長辺の長さＣが１３０ｍｍ、小袋部１１の短辺の長さＤが６５ｍｍの長方形の平面形状をなしている。各小袋部１１には、図６に示すとおり、蓄熱材３が内包されており、蓄熱材３が７０ｇずつ均等に封入されている。
【００２５】
他の実施の形態にかかる保温具１０は以上のように構成されている。このように保温具１０内の蓄熱材３を区分けするために仕切り部１２を設けた場合には、様々な形の場所に使用した場合でも、保温具１０全体で蓄熱材３をほぼ均等に分散配置させることができ、蓄熱材３が偏在することはなく、均一な保温効果が得られる。
【００２６】
さらに他の実施の形態の保温具について、図７に基づいて説明する。図７は他の実施の形態にかかる保温具２０の平面を示している。
【００２７】
保温具２０は、本実施の形態の保温具１０の包材２の中央に分割部２１を有している。分割部２１は、図８に示すように、面ファスナー２１ａ、２１ａを有している。この面ファスナー２１ａ、２１ａにより、保温具２０は２個の保温具３０、３０に分割される。そして分割された保温具３０、３０は合体して再び一体の保温具２０として構成することができる。保温具３０は袋部２２を有しており、袋部２２は５個の小袋部１１を有している。さらに保温具３０の分割部２１には、紐体５と対向する紐体２３が設けられており、紐体２３は紐体５と同一材料が使用されている。
【００２８】
他の実施の形態にかかる保温具２０は以上のように構成されている。例えばこの保温具２０を人の膝に使用する場合、保温具２０をより小形の保温具３０に分割して使用することができる（図９（ａ））。この場合、分割されてより小さくなった保温具３０は人の膝に適した大きさであるため、効率よく膝を温めることができ、装着もしやすい。さらに、分割部２１に紐体２４が設けられているので、分割された後の保温具３０についても、紐体５と紐体２４を結ぶことにより、保温具３０が膝から落下するのを防止することができる（図９（ｂ））。
【００２９】
なお、本実施の形態では保温具２０を２個に分割可能としたが、分割部２１を複数個設けて、保温具２０を３個以上に分割できるようにしてもよい。
【００３０】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【実施例】
【００３１】
本発明者は、図４に示す保温具１０について、電子レンジによって加熱した後、保温具１０の表面温度の経時変化の計測を行った。この計測に使用する保温具１０は上記に説明したとおりの構造を有している。
【００３２】
まず、保温具１０を電子レンジに入れて、５００Ｗの出力で２分３０秒間保温具１０を加熱した。加熱後の保温具１０を電子レンジから取り出した後、保温具１０の表面温度の経時変化を計測した。
【００３３】
加熱後の保温具１０は、その短辺において三つ折に重ね合わせて、２５℃の大気中に放置した。この放置中に、図９に示すとおり、重なり合った保温具１０、１０の間に温度計４０を挿入して保温具１０の表面温度を計測した。温度計測は１０分毎に行った。なお、電子レンジで加熱した後は、保温具１０に対して電気や燃料等のエネルギーの供給は行っていない。
【００３４】
この保温具１０の表面温度の計測結果を図８の時系列グラフに示す。時間が０分の保温具１０の表面温度は、電子レンジから保温具１０を取り出した直後における温度を示している。この結果によると、計測開始時は７５℃であった保温具１０は、４０℃以上の状態を約２時間持続することができた。また、本発明の保温具１０を例えば人の肩、膝等に用いた場合では、人体からの熱の供給により、保温具１０の温度持続時間はさらに長くなると考えられる。
【産業上の利用可能性】
【００３５】
本発明は、例えば人の肩、膝等に使用するのに適した、反復使用可能な保温具に有用である。
【図面の簡単な説明】
【００３６】
【図１】本実施の形態にかかる保温具の斜視図である。
【図２】図１のＸ−Ｘ線断面図である。
【図３】保温具を人の肩に使用する場合の説明図である。
【図４】他の実施の形態にかかる保温具の斜視図である。
【図５】他の実施の形態にかかる保温具の平面図である。
【図６】図４のＹ−Ｙ線断面図である。
【図７】他の実施の形態にかかる保温具の平面図である。
【図８】保温具を分割した後の保温具の平面図である。
【図９】保温具を人の膝に使用する場合の説明図である。
【図１０】実施例の保温具の表面温度を計測する箇所を示した、保温具の説明図である。
【図１１】実施例の保温具の表面温度の計測結果を示したグラフである。
【符号の説明】
【００３７】
１    保温具
２    包材
３    蓄熱材
４    袋部
５    紐体
１２  仕切り部
２１  分割部
【図１】
2007319491.tif 000003
【図２】
2007319491.tif 000004
【図３】
2007319491.tif 000005
【図４】
2007319491.tif 000006
【図５】
2007319491.tif 000007
【図６】
2007319491.tif 000008
【図７】
2007319491.tif 000009
【図８】
2007319491.tif 000010
【図９】
2007319491.tif 000011
【図１０】
2007319491.tif 000012
【図１１】
2007319491.tif 000013